(57)【特許請求の範囲】
【請求項１】
直方形の絶縁基板の一面に抵抗体膜が設けられ、相対する周辺に沿って互いに直交して対向電極が形成された２枚の座標検出用シートを、該抵抗体膜同士が隙間を介して対面配置させ、押圧印加にて押圧位置にて短絡するように成し、同位置を各電極からの電位にて検出させる座標入力パネルの座標検出用シートにおいて、
前記２枚の座標検出用シートは、それぞれの電極から引出された配線が集合するコネクタ配線部で一体に連結されており、該コネクタ配線部で折り曲げると、前記抵抗体膜が対面することを特徴とする座標検出用シート。
【請求項２】
前記コネクタ配線部を折り曲げた際に、各コネクタ配線部の引出し根元部が重ならずにずれることを特徴とする請求項１記載の座標検出用シート。
【請求項３】
前記２枚の座標検出用シートは、それぞれの電極が平行となるように展開配置されて成ることを特徴とする請求項１記載の座標検出用シート。
【発明の詳細な説明】
【０００１】
【発明の属する技術分野】
本発明は、パソコンやワープロ等の情報処理装置に対して手軽に座標情報を入力するための座標検出装置における座標検出シートに関する。
【０００２】
近年、パソコンやワープロ等の情報処理装置においては、誰もが容易に操作出来るようにオペレーションシステム等が改善されており、かかる改善に伴い情報を入力する手段が従来主流であったキーボードから操作の容易なマウス等に変わって来ている。
【０００３】
しかし、屋外や車中などテーブルの無い場所で使用することが多い携帯型情報処理装置では、平坦で広い操作領域を必要とするマウスに代わる入力手段が要求されている。
【０００４】
マウスに代わる入力手段として、平たくて小さい筐体内に座標入力パネルを収容した座標検出装置が提供されている。このような座標検出装置は、グラフィカルなユーザインタフェイスに容易に適合できると共に、操作性に優れ寿命が長いという利点がある。
【０００５】
かかる情報処理装置への座標情報入力手段として、電磁誘導方式や静電結合方式の座標検出装置が主流であったが、コードレスペンや指による入力が可能であり構成が簡単で安価なことから、近年は電圧検出型の座標検出装置に移行しつつある。
【０００６】
【従来の技術】
図４は本発明を適用する座標検出装置を用いた情報処理装置の構成斜視図、図５は図４における電圧検出型の座標検出装置の概要ブロック図、図６は従来の一例の座標検出用シートを示し (a)はシート展開図 (b)は折り重ね図である。
【０００７】
図４に示すように、座標入力パネル５を備える座標検出装置55が接続コード93を介して情報処理装置９に接続してあり、情報処理装置９の表示パネル91に現れる矢印等のカーソル92を表示画面の所望位置まで移動させるのに、座標検出装置55の上面に操作面を設けた座標入力パネル５の操作面を、指先にて押圧を加えれば、座標検出装置55から位置情報が出力されて、押圧位置に相当する表示パネル91の表示画面中の位置にカーソル92が現れる。そこで指先を押圧させたまま移動させれば、これに伴い表示パネル91の画面中のカーソル92も移動し、所望の位置にカーソル92が到達したら、座標検出装置55の側縁に設けたスイッチ56をクリック操作することにより、画面表示内容が起動されるようにしてある。
【０００８】
この座標検出装置55の詳細構成は図５に示す如くである。
即ち、座標検出装置55の概要は、２枚の座標検出用シート81,82 と、切替器58と、電圧供給源57と、電圧計59とから成り、座標検出用シート81,82 は絶縁フィルム19上に同一直方形の抵抗体膜２を設け、その周辺に対向して電極31とこれと直交する方向に電極32とを夫々に形成したものであり、抵抗体膜２同士を間隔をあけて対向固定して座標入力パネル５を形成している。
【０００９】
この抵抗体膜２の背面である絶縁フィルム19の表面に指先や凸棒にて押圧を加えると、２枚の抵抗体膜２同士が接触し、その位置にて短絡するようにしてある。
【００１０】
この短絡位置情報を検出するのに、一方の座標検出用シート81の電極31を切替器58にて選択し、電圧供給源57に接続して電極31間に所定電圧を印加する。すれば押圧位置にて印加電圧は分圧され、この電位を他方の座標検出用シート82の短絡位置から抵抗体膜２と何れかの電極32を介して、切替器58を経て電圧計59にて測定し、印加電圧との分圧比を求め、電極31間の距離を比例案分するＸ座標位置情報となる。更に、Ｙ座標位置情報は、切替器58を動作させて他方の座標検出用シート82の電極32間に電圧供給源57から電圧を印加させ、電圧計59は一方の座標検出用シート81の電極31に接続して、同様に同一押圧位置でのＹ座標位置情報が得られる。かくして得られた位置情報を情報処理装置に出力する。
【００１１】
勿論、押圧したまま移動させれば、切替測定の周期毎に自動的に位置情報が出力され、これに応じて情報処理装置の画面内のカーソルが移動する。
この座標検出用シート81,82 の従来の一例は図６(a) に示す如くで、直方形の絶縁フィルム19の一面略全面に直方形の抵抗体膜２を設け、抵抗体膜２の周辺に沿って対向して電極31を設けた座標検出用シート81と、これに直交して電極32を設けた座標検出用シート82とし、この２枚を図示のように上下に並べ、左右端部にて連結させて１シート化させ、外形縁に沿って各電極31,32 から配線72を引出し、一方の座標検出用シート81に集合させ、更に引出し延伸させて先端部にコネクタ部71を形成させており、図示一点鎖線の折り曲げ線にて折り曲げ抵抗体膜２間を間隔を保って座標検出用シート81,82 を重ね固定させて座標入力パネルを構成する。
【００１２】
このコネクタ部71にコネクタ接続を行い切替器58等と回路接続する。
【００１３】
【発明が解決しようとする課題】
しかしながら、
▲１▼  図６(b) に示すように、折り曲げ線にて折り曲げてから、座標検出用シート81,82 を間隔をあけて重ね固定するのに、作業性向上の為に両端の折り曲げ部を加熱融着させてから、両シート81,82 の周辺を接着固定させており、この加熱の抵抗体膜２への影響を減ずる為に折り曲げ部を伸長させねばならなかった。
▲２▼  又、両シート81,82 の一体化の為に、コネクタ部71への配線72が、一方の座標検出用シート81の周縁に他方の分も引回され、抵抗体膜２への押圧の入力有効領域がその分狭められる。
▲３▼  従って、上記▲１▼, ▲２▼項により座標入力パネルの小形化に難点となっていた。等の問題を生じていた。
【００１４】
本発明は、かかる問題点に鑑みて、折り曲げ部の加熱融着を無くし、且つ、他シート分の配線72による有効領域の狭域化を無くして、装置の小形化と廉価化を図った座標検出用シートの提供を課題した。
【００１５】
【課題を解決するための手段】
上記課題は、
〔１〕  図１に示すように、直方形の絶縁基板１の一面に抵抗体膜２が設けられ、相対する周辺に沿って互いに直交して対向電極31,32 が形成された２枚の座標検出用シート41,42 を、抵抗体膜２同士が隙間を介して対面配置させ、押圧印加にて押圧位置にて短絡するように成し、同位置を各電極31,32 からの電位にて検出させる座標入力パネルの座標検出用シートにおいて、
前記２枚の座標検出用シート41,42 は、それぞれの電極31,32 から引出された配線65,66 が集合するコネクタ配線部61,62 で一体に連結されており、コネクタ配線部61,62 で折り曲げると、前記抵抗体膜２が対面するように構成した、本発明の座標検出用シート41,42 により達成される。
〔２〕  又、図１の(b) の如く、前記コネクタ配線部61,62 を折り曲げた際に、各コネクタ配線部61,62 の引出し根元部67,68 が重ならずにずれるようにした、本発明の上記座標検出用シート41,42 によっても適えられる。
〔３〕  又、図２に示すように、２枚の座標検出用シート41,42 は、それぞれの電極31,32 が平行となるように展開配置されて成る、本発明の上記座標検出用シート41,42 によっても達成される。
【００１６】
即ち、夫々の座標検出用シート41,42 において、コネクタ配線部61,62 は直方形の絶縁基板１から引出され延伸されて設けられており、他方の配線65又は配線66が直方形の周縁部に並べて設けられることは無くなり、入力有効領域の狭域化は防げる。
【００１７】
又、この延伸されたコネクタ配線部61,62 が互いの先部のコネクタ部63,64 を並べて一体のコネクタを形成すると共に、シートを連結し１シート化ができ、生産性の向上が図れる。
【００１８】
更に、このコネクタ配線部61,62 にて折り曲げて抵抗体膜２同士を対面配設させるので、延伸された細い１箇所での折り曲げとなり、反発力も弱く、特に、折り曲げ部での加熱融着の必要はなく、容易に対面配設作業が行える。
【００１９】
又、対面配設後にこの根元部67,68 を裏側に折り曲げてコネクタ接続して装置に実装させるが、対面配設の際に各コネクタ配線部61,62 の引出し根元部67,68 が重なっていると折り曲げの反発力が大きく融着成形等の何らかの手段を講じなければならないが、根元部67,68 を重ならないようにずらすことにより、１枚１枚の折り曲げとなり反発力は小さく抑えられ、何の成形手段も講じなくても容易に実装可能となる。
【００２０】
更に、両シート41,42 の配置を、各電極31,32 が平行配置となるようにシート配置にすることにより、これら電極31,32 及び配線65,66 を厚膜にて形成した際に生じる電極31,32 の長手方向の導体抵抗のバラツキを無くすることができる。これ即ち座標検出誤差の発生防止となる。
【００２１】
かくして、本発明により、折り曲げ部の加熱融着を無くし、且つ、他シート分の配線による入力有効領域の狭域化を無くして、装置の小形化と廉価化を図った座標検出用シートの提供の課題が達成される。
【００２２】
【発明の実施の形態】
以下図面に示す実施例によって本発明を具体的に説明する。全図を通し同一符号は同一対象物を示す。図１は本発明の第１の実施の形態を示し、(a) はシート展開図、 (b)は折り重ね図、図２は本発明の第２の実施の形態を示し、(a) はシート展開図、 (b)は折り重ね図、図３は本発明の第３の実施の形態を示し、(a) はシート展開図、 (b)は折り重ね図である。
【００２３】
本発明の第１の実施の形態は、図１(a) に示すように、絶縁フィルム（例えばポリエチレンテレフタレートフィルム）の絶縁基板１の一面略全面に直方形に抵抗体膜（例えばカーボン膜）２を印刷形成し、その対向周辺に沿って夫々電極31,32 を別々に印刷形成した２枚の座標検出用シート41,42 を上下に配置し、これと同時に、各電極31,32 からは周縁を通り配線65,66 を引出し、各シート41,42 間にコネクタ配線部61,62 として延伸させ折曲させて、先部の各コネクタ部63,64 を並べて一体のコネクタ化させた印刷形成し、且つ、両シートが連結されて１シート化させている。
【００２４】
更に、一方の座標検出用シート41の抵抗体膜２の表面には図示省略のミクロンオーダーの微細粒の絶縁スペーサが配設してあり、又、抵抗体膜２の周縁、電極31,32 及び配線65,66 の上も含み、電極31,32 間の抵抗体膜２上を避けて、絶縁接着材を所定厚さに印刷形成させる。
【００２５】
その後、図示一点鎖線の折り曲げ線にてコネクタ配線部61を折り曲げて、抵抗体膜２同士を同一位置に重ね配置することにより、絶縁接着材により両シート41,42 が周縁にて接着固定され、抵抗体膜２同士は、絶縁スペーサにより所定の隙間を保ち絶縁して対向され、電極31,32 及び配線65,66 も互いに絶縁される。
【００２６】
これにより、図１(b) に示すように、絶縁基板１の直方形外形40×55mmに対し抵抗体膜２の入力有効領域は35×50mmが得られ、前述従来例の同一外形に比べ入力有効領域面積比で11% の拡大ができ、更に、従来例では両端に融着折り曲げ部が出張っており、これを実装上上手く吸収しないと小形化は難しかったが、本実施例ではその部分が無くなり、小形化と共に実装も容易となった。
【００２７】
ここで、コネクタ配線部61,62 の根元部67,68 は互いに重ならない位置に配置させ、この座標入力パネル５を装置55に実装する際に、裏側に折り曲げ特に接着させなくても容易に成形できるようにしてある。
【００２８】
本発明の第２の実施の形態は、図２(a) に示す如くであり、上記第１の実施の形態と異なる部分のみについて説明する。両シート41,42 の配置が異なり、夫々の電極31,32 の向きが同一方向、即ち、平行となるように配置させたもので、厚膜成形時にスクィージの移動方向を電極31,32 の長手方向と一致させることにより、電極31,32 を均一な導体により形成することができ、不均一性により生じる位置情報誤差の発生を防止している。
【００２９】
勿論、電極31,32 及び配線65,66 の形成を上記のようなスクリーン印刷による厚膜形成にて行わない場合には、かような配置はしないで済む。例えば導体箔を被着させフォトエッチングにてパターン形成させる場合には、導体箔が均一であるため第２の実施の形態は不要となる。
【００３０】
更に、本発明の第３の実施の形態は、図３(a) に示す如くであり、上記第１の実施の形態と異なる部分のみについて説明する。両シート41,42 の配置が異なり、コネクタ配線部61,62 のコネクタ部63,64 の嵌合方向も異なる。これにより、上記第１及び第２の実施の形態に比べ、定尺の絶縁基板１に複数個を配置させて、無駄な切捨て部分を最小とする効率の良い材料取りが行える配置形状とした例である。
【００３１】
上記各実施の形態は一例を示し、各部の形状、寸法、材料は上記のものに限定するものではない。
【００３２】
【発明の効果】
以上の如く、本発明の座標検出用シートにより、折り曲げ部の加熱融着を無くし、且つ、他シート分の配線による入力有効領域の狭域化を無くして、座標入力パネルしいては座標検出装置の小形化と廉価化を図った座標検出用シートが得られ、実用的効果は大である。
【図面の簡単な説明】
【図１】  本発明の第１の実施の形態
(a) シート展開図    (b) 折り重ね図
【図２】  本発明の第２の実施の形態
(a) シート展開図    (b) 折り重ね図
【図３】  本発明の第３の実施の形態
(a) シート展開図    (b) 折り重ね図
【図４】  本発明を適用する座標検出装置を用いた情報処理装置の構成斜視
図
【図５】  図４における電圧検出型の座標検出装置の概要ブロック図
【図６】  従来の一例の座標検出用シート
(a) シート展開図    (b) 折り重ね図
【符号の説明】
１  絶縁基板            ２  抵抗体膜            ５  座標入力パネル
7,61,62 コネクタ配線部  ９  情報処理装置        19  絶縁フィルム
31,32 電極              41,42,81,82 座標検出用シート
55  座標検出装置        56  スイッチ            57  電圧供給源
58  切替器              59  電圧計              63,64,71  コネクタ部
65,66,72  配線          67,68 根元部            91  表示パネル
92  カーソル            93  接続コード
【図１】
0003744598.tif 000002
【図２】
0003744598.tif 000003
【図３】
0003744598.tif 000004
【図４】
0003744598.tif 000005
【図５】
0003744598.tif 000006
【図６】
0003744598.tif 000007